(57)【要約】【課題】セルの列のうねり防止【解決手段】  ここで提案される組電池１０は、複数のセルは、それぞれ対向する一対の平面部を有している。セルは、隣接するセルにおいて平面部が対向するように並べられている。保持部材２６は、隣接するセルが重ねられる部位の外側にはみ出た部位と、バネを保持する保持部としての空洞と、はみ出た部位に形成されたシャフト挿通孔とを有している。テンションプレート３２は、エンドプレート２８，３０に引っ張られた状態で架け渡され、かつ、接合されている。シャフト３４は、複数の保持部材２６のシャフト挿通孔に挿通されている。【選択図】図１
2020145161.tif 000002
【特許請求の範囲】
【請求項１】
それぞれ対向する一対の平面部を有し、かつ、隣接するセルにおいて平面部が対向するように並べられた複数のセルと、
前記複数のセルが並べられた方向において、隣接するセルのうち少なくとも２つ以上の隣接するセルの間に配置されたバネと、
前記バネが配置された隣接するセルの間にそれぞれ配置され、前記バネを保持する保持部と、隣接するセルが重ねられる部位の外側にはみ出た部位と、前記はみ出た部位に形成されたシャフト挿通孔とを有する、複数の保持部材と、
前記複数のセルのうち両端のセルの平面部に、それぞれ重ねられた一対のエンドプレートと、
前記一対のエンドプレートに引っ張られた状態で架け渡され、かつ、接合されたテンションプレートと、
前記複数の保持部材の前記シャフト挿通孔に挿通されたシャフトと
を備えた、
組電池。
【発明の詳細な説明】
【技術分野】
【０００１】
ここでの開示は、組電池に関する。
【背景技術】
【０００２】
特開２００９−０２６７０３号公報には、セル（単電池）が積層された組電池に関し、セルの積層方向において弾性部材を配置し、積層端にエンドプレートを配置し、拘束部材で拘束することが開示されている。
【先行技術文献】
【特許文献】
【０００３】
【特許文献１】特開２００９−０２６７０３号公報
【発明の概要】
【発明が解決しようとする課題】
【０００４】
ところで、本発明者は、セルが積層された組電池に関し、セルの積層方向において、積層されたセルの間に弾性部材を配置し、積層両端にエンドプレートを配置し、かつ、両端のエンドプレートにテンションプレートを取り付けて拘束することを検討している。この場合、セルの積層方向において、セルの間に積層された弾性部材の弾性反力を受けて、積層されたセルが傾き、全体としてセルの列がうねる場合がある。
【課題を解決するための手段】
【０００５】
ここで提案される組電池は、それぞれ対向する一対の平面部を有し、かつ、隣接するセルにおいて平面部が対向するように並べられた複数のセルと、複数のセルが並べられた方向において、隣接するセルのうち少なくとも２つ以上の隣接するセルの間に配置されたバネと、バネが配置された隣接するセルの間に配置され、バネを保持する保持部と、隣接するセルが重ねられる部位の外側にはみ出た部位と、はみ出た部位に形成されたシャフト挿通孔とを有する、複数の保持部材と、複数のセルのうち両端のセルの平面部に、それぞれ重ねられた一対のエンドプレートと、一対のエンドプレートに引っ張られた状態で架け渡され、かつ、接合されたテンションプレートと、複数の保持部材の前記シャフト挿通孔に挿通されたシャフトとを備えている。
【０００６】
かかる組電池によれば、複数の保持部材のシャフト挿通孔に挿通されたシャフトによって、保持部材の直線性が保たれたので、セルの列がうねるのが防止される。
【図面の簡単な説明】
【０００７】
【図１】図１は、ここで提案される組電池１０を示す斜視図である。
【図２】図２は、組電池１０に組み込まれるセル２２の斜視図である。
【図３】図３は、セル２２に枠２２ｄが装着された状態を示す斜視図である。
【図４】図４は、組電池１０の構造を展開した状態で模式的に示した部分断面図である。
【図５】図５は、セル２２を順に重ねていく手順を模式的に示す斜視図である。
【図６】図６は、セル２２を順に重ねていく手順を模式的に示す斜視図である。
【図７】図７は、テンションプレート３２が取り付けられる工程を模式的に示す斜視図である。
【図８】図８は、ブロック１２が傾く様子が模式的に示された模式図である。
【図９】図９は、シャフト３４が挿通された状態を模式的に示す模式図である。
【図１０】図１０は、他の実施形態に係る組電池１０Ａを模式的に示す側面図である。
【発明を実施するための形態】
【０００８】
以下、ここで開示される組電池の一実施形態を説明する。ここで説明される実施形態は、当然ながら特に本発明を限定することを意図したものではない。本発明は、特に言及されない限りにおいて、ここで説明される実施形態に限定されない。
【０００９】
〈組電池１０〉
図１は、ここで提案される組電池１０を示す斜視図である。図２は、組電池１０に組み込まれるセル２２の斜視図である。図３は、セル２２に枠２２ｄが装着された状態を示す斜視図である。図４は、組電池１０の構造を展開した状態で模式的に示した部分断面図である。なお、図１では、組電池１０についてバスバーが取り付けられる前の状態が示されている。
【００１０】
組電池１０は、図１から図４に示されているように、複数のセル２２（図２および図３参照）と、バネ２４（図４参照）と、保持部材２６と、一対のエンドプレート２８，３０と、テンションプレート３２（図１参照）と、シャフト３４とを備えている。
【００１１】
〈セル２２〉
組電池１０に組み込まれる複数のセル２２は、図２に示されているように、それぞれ対向する平面部２２ａを有している。複数のセル２２は、隣接するセル２２の平面部２２ａが対向するように並べられている。この実施形態では、セル２２は、電極体を収容する外装にラミネートフィルムが用いられた、いわゆるラミネートセルである。なお、セル２２は、特段言及されない限りにおいて、ラミネートセルに限定されない。
【００１２】
この実施形態では、セル２２の中央に平面部２２ａが設けられている。平面部２２ａが設けられたセル２２の中央には、電極体が収容されている。平面部２２ａには、扁平な略矩形の収容空間が形成されている。当該平面部２２ａに収容された電極体は、正極活物質層と負極活物質層とが重ねられている。平面部２２ａは、正極活物質層と負極活物質層とが重ね合わされた方向に直交している。
【００１３】
この実施形態では、セル２２の外装は、ラミネートフィルムであり、セル２２の周縁部２２ｂで接合されている。このうち略矩形のセル２２の片側の短辺では、周縁部２２ｂから第１電極端子２２ｂ１がはみ出ている。セル２２の反対側の短辺では、周縁部２２ｂから第２電極端子２２ｂ２がはみ出ている。第１電極端子２２ｂ１は正極の端子であり、第２電極端子２２ｂ２は負極の端子である。なお、この実施形態では、セル２２の第１電極端子２２ｂ１と第２電極端子２２ｂ２はカットされ、端子パターンが異なるセル２２が用意されている。
【００１４】
〈枠２２ｄ〉
この実施形態では、セル２２の第１電極端子２２ｂ１と第２電極端子２２ｂ２はカットされた後、図３に示されているように、複数のセル２２は、それぞれプレート状の枠２２ｄが嵌められる。枠２２ｄは、セル２２の平面部２２ａに応じた開口２２ｄ１を有している。枠２２ｄは、電極体を収容したセル２２の平面部２２ａに開口２２ｄ１が装着されることによって、セル２２に取り付けられている。枠２２ｄは、セル２２からはみ出ており、当該枠２２ｄの角部には、ガイド孔２２ｄ２が形成されている。セル２２は、図３に示されているように、枠２２ｄが取り付けられた状態で、隣接するセル２２の平面部２２ａが対向するように並べられている。なお、セル２２の第１電極端子２２ｂ１と第２電極端子２２ｂ２は、それぞれ枠２２ｄからはみ出るように所要の長さを有している。
【００１５】
図５および図６は、セル２２を順に重ねていく手順を模式的に示す斜視図である。セル２２は、図５および図６に示されているように、バネ２４を保持した保持部材２６の上に重ねられる。そして、図４に示されているように、保持部材２６の上に重ねられたセル２２の上に、バネ２４を保持した保持部材２６が重ねられ、さらに予め定められた数のセル２２が重ねられる。組電池１０は、バネ２４を保持した保持部材２６を介在させつつセル２２が重ねられている。図４に示されているように、重ねられたセル２２は、バネ２４を保持した保持部材２６によって区分されうる。
【００１６】
なお、図４は、組電池１０の展開図であり、組電池１０の構造が特に模式的に示されている。ここで、保持部材２６および保持部材２６の上に重ねられたセル２２は、１つの纏まりのあるブロック１２とされている。そして、ブロック１２間に間隙があるように図示されている。かかる間隙は実際にはない。また図４では、下側の第１エンドプレート２８と上側の第２エンドプレート３０との間に、ブロック１２が３つ図示されている。また図４では、下側の第１エンドプレート２８と上側の第２エンドプレート３０との間のブロック１２の数は、３つに限定されない。組電池１０では、さらに多くのブロック１２が重ねられうる。
【００１７】
〈バネ２４〉
バネ２４は、弾性部材である。この実施形態では、バネ２４には、円形の皿バネが用いられている。バネ２４は、保持部材２６にそれぞれ保持されている。このうち、中間保持部材２６３に保持されたバネ２４は、図４に示されているように、複数のセル２２が並べられた方向において、少なくとも１つの隣接するセル２２の間に配置されている。なお、この実施形態では、バネ２４とセル２２との間には、後述するようにスペーサ２７ａ，２７ｂが介在している。
【００１８】
〈保持部材２６〉
保持部材２６は、バネ２４を保持する部材である。この実施形態では、保持部材２６は、略矩形のプレート状の部材である。保持部材２６は、バネ２４を保持する保持部として、バネ２４が装着される空洞２６ａを有している。保持部材２６は、セル２２の長手方向に沿って３つのバネ２４が保持されるように、空洞２６ａが形成されている。また、保持部材２６は、隣接するセルが重ねられる部位の外側にはみ出るように所要の大きさを有している。
【００１９】
この実施形態では、保持部材２６には、第１保持部材２６１と、第２保持部材２６２と、中間保持部材２６３との３種類の保持部材２６が用いられている。第１保持部材２６１は、セル２２と、下側に配置される第１エンドプレート２８との間に配置されている。中間保持部材２６３は、図４に示されているように、バネ２４が配置された状態で、組電池１０の、隣接するセル２２の間に配置されている。第２保持部材２６２は、セル２２と、上側に配置される第２エンドプレート３０との間に配置される。
【００２０】
〈エンドプレート２８，３０〉
エンドプレート２８，３０は、組電池１０の両端に配置されるプレートである。エンドプレート２８，３０は、それぞれ組電池１０の各セル２２を拘束する拘束部材の１つである。ここで、下側のエンドプレート２８には、バネ２４を位置決めするための突起２８ａが設けられている。突起２８ａは、下側のエンドプレート２８に重ねられる第１保持部材２６１の空洞２６ａに突出するように、エンドプレート２８に設けられているとよい。また、上側のエンドプレート３０にも同様に、バネ２４を位置決めするための突起３０ａがそれぞれ設けられている。突起３０ａは、上側のエンドプレート３０に重ねられる第２保持部材２６２の空洞２６ａに突出するように、エンドプレート３０に設けられているとよい。
【００２１】
〈スペーサ２７ａ，２７ｂ〉
スペーサ２７ａ，２７ｂは、それぞれ中間保持部材２６３と、セル２２との間に配置されている。この実施形態では、中間保持部材２６３の下側にはバネ２４を支持するプレート状のスペーサ２７ａが取り付けられている。かかるスペーサ２７ａには、バネ２４を位置決めするための突起２７ａ１が設けられている。突起２７ａ１は、中間保持部材２６３の空洞２６ａに突出するように、スペーサ２７ａに設けられているとよい。
【００２２】
第１保持部材２６１および中間保持部材２６３に保持されたバネ２４の上には、プレート状のスペーサ２７ｂが配置されている。また、第２保持部材２６２に保持されたバネ２４の下にもプレート状のスペーサ２７ｂが配置されている。スペーサ２７ａ、２７ｂには、所要の厚さのスペーサが選択的に採用される。かかるスペーサ２７ａおよび２７ｂを介して、重ねられたセル２２のブロック１２に、圧縮されたバネ２４の弾性反力が作用する。
【００２３】
〈ガイド軸２７ｃ〉
第１保持部材２６１と中間保持部材２６３は、ガイド軸２７ｃを装着するための取付穴２６ｂを有している。取付穴２６ｂは、隣接するセルが重ねられる部位の外側にはみ出た部位に形成されている。取付穴２６ｂは、保持部材２６１および２６３の上面に形成されている。取付穴２６ｂは、装着されるガイド軸２７ｃに、セル２２に取り付けられた枠２２ｄの角部に形成されたガイド孔２２ｄ２の位置が合うように形成されている。取付穴２６ｂは、ガイド軸２７ｃの下端がぴったり嵌まるように形成されており、ガイド軸２７ｃの下端が圧入される。取付穴２６ｂに装着されたガイド軸２７ｃは、第１保持部材２６１と中間保持部材２６３に立った状態で維持される。
【００２４】
第２保持部材２６２と中間保持部材２６３の下面には、ガイド軸２７ｃの上端が嵌まる窪み２６ｃが設けられている。窪み２６ｃは、組付け性が考慮され、ガイド軸２７ｃの上端の外径に対して少し大きい内径を有している。このため、取付穴２６ｂに装着されたガイド軸２７ｃが少し傾いていても、第２保持部材２６２や中間保持部材２６３を重ねることができる。
【００２５】
以下、セル２２を順に重ねていく手順を説明する。
【００２６】
図５に示されているように、先ず、下側のエンドプレート２８を水平に配置し、その上に第１保持部材２６１を取り付ける。下側のエンドプレート２８には、第１保持部材２６１を位置決めするための突起２８ｂ（図４参照）が設けられている。また、エンドプレート２８は、第１保持部材２６１の空洞２６ａに突出する突起２８ａを有している。かかる突起２８ａにバネ２４が装着され、バネ２４が装着された後で、第１保持部材２６１にスペーサ２７ｂが装着される。第１保持部材２６１には、かかるスペーサ２７ｂが装着される段差２６ｄが形成されている。
【００２７】
次に、図５に示されているように、保持部材２６１の取付穴２６ｂにガイド軸２７ｃが装着されて立てられる。セル２２は、図６に示されているように、枠２２ｄが取り付けられた状態で、枠２２ｄのガイド孔２２ｄ２を、保持部材２６に取り付けられたガイド軸２７ｃに装着していく。これにより、ガイド軸２７ｃに沿って、枠２２ｄが位置決めされる。セル２２は、枠２２ｄが取り付けられている。このため、ガイド軸２７ｃおよび枠２２ｄによって位置決めされながらセル２２が並べられる。このため、セル２２が並べられる積層方向において、隣接するセル２２の平面部２２ａが重ねられる。セル２２の間には、適宜に、冷却板２２ｅが重ねられうる。また、所定の数のセル２２および冷却板２２ｅが重ねられた後、断熱板２２ｆが重ねられる。冷却板２２ｅや断熱板２２ｆは、ガイド軸２７ｃに装着されるガイド孔２２ｅ１，２２ｆ１を有しているとよい。このようにして予め定められた数のセル２２が第１保持部材２６１の上に重ねられる。
【００２８】
次に、第１保持部材２６１の上に重ねられたセル２２をプレスする。そして、重ねられたセル２２の寸法（高さ）を測定する。そして、図４に示されているように、所要の厚さのスペーサ２７ａを取り付ける。第１保持部材２６１と、第１保持部材２６１の上に重ねられたセル２２とで構成されたブロック１２の厚さに対して、スペーサ２７ａの厚さを調整している。さらに、中間保持部材２６３が重ねられ、中間保持部材２６３の空洞２６ａにバネ２４が装着される。ここで、バネ２４は、スペーサ２７ａの突起２７ａ１に装着される。さらに中間保持部材２６３の上にスペーサ２７ｂを配置する。なお、第１保持部材２６１と、第１保持部材２６１の上に重ねられたセル２２とで構成されたブロック１２の寸法（高さ）を測定した後の厚さの調整は、スペーサ２７ｂの厚さで調整してもよい。
【００２９】
次に、中間保持部材２６３の取付穴２６ｂにガイド軸２７ｃを装着する。そして、中間保持部材２６３の上に重ねられたスペーサ２７ｂの上にさらに、予め定められた数のセル２２が重ねられたブロック１２が形成される。当該ブロック１２において、セル２２の間には、適宜に、冷却板やスペーサが重ねられうる。このようにバネ２４を保持した中間保持部材２６３の上にセル２２が重ねられたブロック１２が、予め定められた数、重ねられる。保持部材２６の上にセル２２が重ねられる度に、プレスし、寸法（高さ）を測定し、スペーサ２７ａまたはスペーサ２７ｂの厚さを調整するとよい。これによって、組電池１０全体の高さが調整される。
【００３０】
セル２２が重ねられたブロック１２が予め定められた数重ねられた後、スペーサ２７ｂを介して上側の第２保持部材２６２、バネ２４およびエンドプレート３０が重ねられる。上側のエンドプレート３０には、第２保持部材２６２を位置決めするための突起３０ｂが設けられている。
【００３１】
図７は、テンションプレート３２が取り付けられる工程を模式的に示す斜視図である。図７に示されているように、上下両端のエンドプレート２８，３０は、上下方向にプレスされる。このとき、上下両端のエンドプレート２８，３０間において、保持部材２６に保持されたバネ２４および重ねられたセル２２は全体として加圧圧縮される。そして、このように加圧圧縮された状態の上下両端のエンドプレート２８，３０の端面にテンションプレート３２が架け渡される。そして、上下両端のエンドプレート２８，３０の端面にテンションプレート３２が接合される。テンションプレート３２は、略矩形のエンドプレート２８，３０の一対の長辺に沿った端面に、それぞれ架け渡された状態で溶接される。
【００３２】
なお、仮に、この状態で、上下両端のエンドプレート２８，３０を加圧圧縮した力が除荷されると、保持部材２６に保持されたバネ２４およびセル２２の弾性反力によって、テンションプレート３２にテンションが掛る。テンションプレート３２は、このように保持部材２６に保持されたバネ２４の弾性反力を受けて、両端の一対のエンドプレート２８，３０に引っ張られた状態になる。他方で、セル２２が厚さ方向に並べられたブロック１２は、それぞれ所要の圧縮荷重が掛った状態になる。また、セル２２が厚さ方向に並べられたブロック１２は、ガイド軸２７ｃによって一体性が保たれている。ブロック１２間では、保持部材２６に保持されたバネ２４の弾性反力が作用する。
【００３３】
しかしながら、本発明者の知見では、この状態のまま、上下両端のエンドプレート２８，３０を加圧圧縮した力が除荷されると、バネ２４の弾性反力を受けてブロック１２がバランスを崩す場合がある。その結果、エンドプレート２８，３０間で、ブロック１２が傾く。ブロック１２が傾くと、ブロック１２毎にセル２２に作用する拘束圧に差が生じ、セル２２毎に性能にバラツキが生じやすくなる。特に、セル２２の膨張収縮が大きく、セル２２に高い拘束圧を作用させる必要がある場合には、バネ２４が高い弾性反力を作用させる必要がある。このような場合には、バネ２４によって高い弾性反力がブロック１２に作用する。このため、上下両端のエンドプレート２８，３０を加圧圧縮した力が除荷される際に、ブロック１２がバランスを崩して傾き易い。
【００３４】
図８は、ブロック１２が傾く様子が模式的に示された模式図である。なお、図８では、エンドプレート２８，３０を加圧圧縮した力が除荷された際に、ブロック１２毎に傾く様子が模式的に示されている。実際には、ブロック１２の数や、ブロック１２間の隙間などは存在しない。図８に示されているように、エンドプレート２８，３０間で、ブロック１２が傾くと、重ねられたセル２２の列が全体としてうねるような状態になる。
【００３５】
ここで提案される組電池１０は、複数の保持部材２６は、上述のように、隣接するセルが重ねられる部位の外側にはみ出ており、当該はみ出た部位にシャフト挿通孔２６ｆをそれぞれ有している。この実施形態では、図４に示されたガイド軸２７ｃに中空のシャフトが用いられている。さらに、ガイド軸２７ｃが取り付けられる取付穴２６ｂの底部にシャフト挿通孔２６ｆが形成されている。また、中間保持部材２６３において、かかるシャフト挿通孔２６ｆは、ガイド軸２７ｃの上端を受ける窪み２６ｃに貫通している。また、上側のエンドプレート３０に取り付けられる第２保持部材２６２には、ガイド軸２７ｃの上端を受ける窪み２６ｃの底に貫通するように、シャフト挿通孔２６ｆが形成されている。上側のエンドプレート３０は、当該シャフト挿通孔２６ｆが形成された部位に応じた位置に切り欠き３０ｆを有している。このため、シャフト挿通孔２６ｆは、上側のエンドプレート３０の上方から見ると露見している。
【００３６】
図９は、シャフト３４が挿通された状態を模式的に示す模式図である。図９では、複数の中空のガイド軸２７ｃおよび保持部材２６のシャフト挿通孔２６ｆにシャフト３４が挿通された状態が模式的に示されている。例えば、図７に示されているように、上下両端のエンドプレート２８，３０が上下方向にプレスされ、かつ、保持部材２６に保持されたバネ２４および重ねられたセル２２が全体として加圧圧縮された状態まで、組電池１０の構成部材が組付けられる。この状態で、エンドプレート２８，３０には、テンションプレート３２が溶接される。その後、上側のエンドプレート３０の上方から中空のガイド軸２７ｃおよび保持部材２６のシャフト挿通孔２６ｆにシャフト３４が挿通される。
【００３７】
ここで、エンドプレート２８，３０間において、シャフト３４は、図９に示されているように、ブロック１２毎に取り付けられた中空のガイド軸２７ｃに挿通される。また、シャフト３４は、エンドプレート２８，３０間において、ブロック１２毎に取り付けられた中空のガイド軸２７ｃに挿通されるように所要の長さを有している。なお、シャフト３４は、エンドプレート２８，３０にテンションプレート３２が溶接される前に、シャフト挿通孔２６ｆにシャフト３４が挿通されてもよい。
【００３８】
このようにシャフト３４が挿通されていることによって、セル２２が厚さ方向に並べられたブロック１２間の直線性が保たれる。このため、上下両端のエンドプレート２８，３０にテンションプレート３２が溶接された後、上下両端のエンドプレート２８，３０を加圧圧縮した力が除荷されても、図１に示されているように、エンドプレート２８，３０間で、ブロック１２間の直線性が保たれる。このため、エンドプレート２８，３０を加圧圧縮した力が除荷された際に、ブロック１２毎に傾くことが抑止される。
【００３９】
この実施形態では、エンドプレート２８，３０の短辺側の側面には、テンションプレート３２は取り付けられていない。上述のようにテンションプレート３２が接合され、上下両端のエンドプレート２８，３０を加圧圧縮した力が除荷された後、バスバーが取り付けられる。ここで、テンションプレート３２が取り付けられていない側面では、組電池１０のセル２２の第１電極端子２２ｂ１と第２電極端子２２ｂ２とが露見している。バスバーは、かかる短辺側の側面に取り付けられ、当該セル２２の第１電極端子２２ｂ１と第２電極端子２２ｂ２とを予め定められた配線で接続する。
【００４０】
なお、この実施形態では、ガイド軸２７ｃを中空のシャフトとし、中空のガイド軸２７ｃおよび保持部材２６のシャフト挿通孔２６ｆにシャフト３４が挿通されている。ここで提案される組電池１０は、かかる形態に限定されない。
【００４１】
図１０は、他の実施形態に係る組電池１０Ａを模式的に示す側面図である。図１０では、エンドプレート２８，３０の短辺側からみた側面が描かれている。図１０では、図４と同様に模式的に描かれている。図１０に示された形態では、ガイド軸２７ｃは、中実シャフトである。図１０に示された形態では、隣接するセルが重ねられる部位の外側にはみ出た部位のうち、ガイド軸２７ｃが取り付けられる取付穴２６ｂが形成された側とは反対側の角部にシャフト挿通孔２６ｆが形成されている。図示は省略するが、矩形の保持部材２６の長辺に沿って離れた２箇所にシャフト挿通孔２６ｆが形成されている。上側のエンドプレート３０には、シャフト挿通孔２６ｆが形成された位置に合せて、シャフト挿通孔３０ｇが形成されている。
【００４２】
そして、図１０に示されているように、上下両端のエンドプレート２８，３０を上下方向にプレスし、重ねられたセル２２を全体として加圧圧縮された状態において、保持部材２６のシャフト挿通孔２６ｆにシャフト３４を挿通する。なお、シャフト３４は、エンドプレート２８，３０にテンションプレート３２を溶接した後で、挿通してもよい。このように、保持部材２６のシャフト挿通孔２６ｆに挿通された一本のシャフト３４によって、保持部材２６のシャフト挿通孔２６ｆの直線性が維持される。また、保持部材２６の離れた２箇所にシャフト挿通孔２６ｆが形成され、シャフト３４が挿通されていることによって、保持部材２６の回転や傾きを防止できる。このように、シャフト３４は、中空のガイド軸２７ｃに挿通されていなくてもよい。また、このようにガイド軸２７ｃにシャフト３４が挿通されない場合には、ガイド軸２７ｃは中空の軸でなくてもよい。
【００４３】
上述のように組電池１０、１０Ａは、複数のセル２２と、バネ２４と、保持部材２６と、一対のエンドプレート２８，３０と、テンションプレート３２と、シャフト３４とをそれぞれ備えている。
【００４４】
複数のセル２２は、それぞれ対向する一対の平面部２２ａを有している。セル２２は、隣接するセル２２において平面部２２ａが対向するように並べられている。バネ２４は、複数のセル２２が並べられた方向において、隣接するセルのうち少なくとも２つ以上の隣接するセルの間に配置されている。保持部材２６は、バネ２４が配置された隣接するセル２２の間にそれぞれ配置されている。保持部材２６は、隣接するセル２２が重ねられる部位の外側にはみ出た部位と、バネ２４を保持する保持部としての空洞２６ａと、はみ出た部位に形成されたシャフト挿通孔２６ｆとを有している。エンドプレート２８，３０は、複数のセル２２のうち両端のセル２２の平面部に、それぞれ重ねられている。テンションプレート３２は、エンドプレート２８，３０に引っ張られた状態で架け渡され、かつ、接合されている。シャフト３４は、複数の保持部材２６のシャフト挿通孔２６ｆに挿通されている。
【００４５】
ここで提案される組電池１０、１０Ａでは、複数の保持部材２６のシャフト挿通孔２６ｆにシャフト３４が挿通されている。かかるシャフト３４によって、エンドプレート２８，３０間で、複数の保持部材２６の直線性が保たれる。このため、エンドプレート２８，３０間で保持部材２６およびセル２２の列がうねるのが防止される。このように、保持部材２６およびセル２２の列がうねることが抑止されるので、それぞれセル２２に所要の圧縮荷重が掛る。このため、セル２２に作用する拘束圧の差が小さく、セル２２毎の性能のバラツキが小さくなる。
【００４６】
以上、ここで開示される組電池について、種々説明した。特に言及されない限りにおいて、ここで挙げられた組電池の実施形態などは、本発明を限定しない。また、ここで開示される組電池は、種々変更でき、特段の問題が生じない限りにおいて、各構成要素やここで言及された各処理は適宜に省略され、または、適宜に組み合わされうる。
【符号の説明】
【００４７】
１０、１０Ａ  組電池
１２  ブロック
２２  セル
２２ａ  平面部
２２ｂ  周縁部
２２ｂ１  第１電極端子
２２ｂ２  第２電極端子
２２ｄ  枠
２２ｄ１  開口
２２ｄ２  ガイド孔
２２ｅ  冷却板
２２ｅ１  ガイド孔
２２ｆ  断熱板
２２ｆ１  ガイド孔
２４  バネ
２６  保持部材
２６ａ  空洞（保持部）
２６ｂ  取付穴
２６ｃ  窪み
２６ｄ  段差
２６ｆ  シャフト挿通孔
２７ａ  スペーサ
２７ａ１  突起
２７ｂ  スペーサ
２７ｃ  ガイド軸
２８  第１エンドプレート
２８ａ  突起
２８ｂ  突起
３０  第２エンドプレート
３０ａ  突起
３０ｂ  突起
３０ｆ  切り欠き
３０ｇ  シャフト挿通孔
３２  テンションプレート
３４  シャフト
２６１  第１保持部材
２６２  第２保持部材
２６３  中間保持部材
【図１】
2020145161.tif 000003
【図２】
2020145161.tif 000004
【図３】
2020145161.tif 000005
【図４】
2020145161.tif 000006
【図５】
2020145161.tif 000007
【図６】
2020145161.tif 000008
【図７】
2020145161.tif 000009
【図８】
2020145161.tif 000010
【図９】
2020145161.tif 000011
【図１０】
2020145161.tif 000012